(57)【要約】【課題】保護板に遮光部を設けることによる画像品質の低下を緩和し、３次元画像の表示にも適用可能であり、更に、薄型化の要求に応え得る液晶表示装置及びテレビ受像装置を提供する。【解決手段】液晶パネル２の表示面に一面を重ねて配置されたガラス製の保護板３の他面に偏光板４を被着し、この偏光板４の周縁部を縁取るように遮光部40を形成して、保護板３本来の光学等方性を維持して表示画像の品質低下を防止する。偏光板４は、保護板３の損傷時にガラス片が飛散することを防止する作用をなす。また偏光板４は、液晶パネル２が本来備える上側偏光板を兼ねており、液晶表示装置の薄型化を阻害しない。【選択図】図１
2012047895.tif 000002
【特許請求の範囲】
【請求項１】
アレー基板とカラーフィルタ基板との間に液晶を封入してなるパネル原板の両面に偏光板を積層して構成された液晶パネルと、該液晶パネルの表示面に一面を重ねて配置され、該表示面を保護するガラス製の保護板とを備え、該保護板の周縁部を縁取るように遮光部を設けてある液晶表示装置において、
前記液晶パネルの一方の偏光板は、前記保護板の他面に重ねて配置してあり、該偏光板に、遮光性を有する塗料を用いた印刷により前記遮光部を形成してあることを特徴とする液晶表示装置。
【請求項２】
前記遮光部は、前記保護板との接触面に形成してあることを特徴とする請求項１に記載の液晶表示装置。
【請求項３】
受信画像の表示部として請求項１又は請求項２に記載の液晶表示装置を備えることを特徴とするテレビ受像装置。
【発明の詳細な説明】
【技術分野】
【０００１】
本発明は、画像表示のために液晶パネルを用いてなる液晶表示装置、及び該液晶表示装置を備えるテレビ受像装置に関する。
【背景技術】
【０００２】
液晶パネルを画像表示部として備える液晶表示装置は、薄形で軽量である上、消費電力が小さいことから、テレビ受像装置、コンピュータ及び携帯端末用の表示部として広く採用されている。
【０００３】
液晶表示装置は、液晶パネルの一面（表示面）を外部に露出させて外箱に取付け、該外箱内に設けた光源（バックライト）の発光を液晶により偏光することで画像を表示する。液晶パネルは、駆動素子アレーを備えるアレー基板と、カラーフィルタをパターン形成してなるカラーフィルタ基板（ＣＦ基板）との間に液晶を封入してパネル原板を構成し、該パネル原板の両面に、偏光板（上側偏光板及び下側偏光板）を積層し、更に、必要に応じて、視野拡大シート、反射防止シート等の光学シートを被着して構成されている。
【０００４】
一部の液晶表示装置は、液晶パネルの表示面に一面を重ねて配置された保護板を備えている（例えば、特許文献１参照）。保護板は、ガラス製であり、光学等方性を保ちつつ液晶パネルの表示面を覆い、該表示面を保護する作用をなす。また保護板の周縁には、遮光性を有する遮光部が設けられることがある。この遮光部は、保護板により覆われた液晶パネルの周囲に設けられるドライバ部等の視認を防止するために、保護板の周縁部の全周に適幅に亘って形成されている。
【０００５】
この遮光部は、遮光性を有するセラミック塗料（一般的には黒色塗料）を使用した焼付け印刷により形成されている。更に保護板の一面には、飛散防止シートが被着されることがある。飛散防止シートは、ＰＥＴ（ポリエチレンテレフタラート）等の樹脂製のシートであり、過大な外力の作用によりガラス板が損傷したとき、ガラス片が周辺に飛散することを防止する作用をなす。
【先行技術文献】
【特許文献】
【０００６】
【特許文献１】特開２００９−２１６７６４号公報
【発明の概要】
【発明が解決しようとする課題】
【０００７】
ところが、セラミック焼付け印刷により形成される遮光部は、ガラス面に対する定着性が良好で、高い強度を有する反面、形成の過程で焼成を必要とすることから、焼成時の加熱及び冷却が適正に行われない場合、遮光部が形成された保護板の内部に不均一な応力が残留し、ガラス製の保護板の光学等方性が損なわれて、該保護板を通して出射される光が楕円偏光となり、液晶パネルの表示画像の品質が低下するという問題がある。また、前述した飛散防止シートを設けた場合、該飛散防止シートが、ＰＥＴ等の複屈折性を有する樹脂材料製であることから、表示画像の品質低下が助長されることとなる。
【０００８】
一方近年においては、３次元画像の表示を可能とする液晶表示装置、及びこの液晶表示装置を備えるテレビ受像装置の実用化が進められている。この種の液晶表示装置及びテレビ受像装置においては、偏光板をレンズとする眼鏡を使用し、視聴者の左右の目に各別の画像を視認させることで奥行き感を与えている。
【０００９】
３次元画像の表示に対応する液晶表示装置及びテレビ受像装置に前述した保護板を使用した場合、楕円偏光が左右の偏光板を透過する際に干渉し、視聴者に、「虹むら」と称される干渉縞が視認される結果となり、表示画像の品質低下が顕著に認識されるという問題がある。
【００１０】
また前述した保護板を備える液晶表示装置においては、保護板を含めた液晶モジュールが厚くなり、液晶表示装置及びテレビ受像機の薄型化の要求に応え得ないという問題もある。
【００１１】
本発明は斯かる事情に鑑みてなされたものであり、保護板に遮光部を設けることによる画像品質の低下を緩和し、３次元画像の表示にも適用可能であり、更に、薄型化の要求に応え得る液晶表示装置及びテレビ受像装置を提供することを目的とする。
【課題を解決するための手段】
【００１２】
本発明に係る液晶表示装置は、アレー基板とカラーフィルタ基板との間に液晶を封入してなるパネル原板の両面に偏光板を積層して構成された液晶パネルと、該液晶パネルの表示面に一面を重ねて配置され、該表示面を保護するガラス製の保護板とを備え、該保護板の周縁部を縁取るように遮光部を設けてある液晶表示装置において、前記液晶パネルの一方の偏光板は、前記保護板の他面に重ねて配置してあり、該偏光板に、遮光性を有する塗料を用いた印刷により前記遮光部を形成してあることを特徴とする。
【００１３】
本発明においては、保護板の他面（液晶パネルとの接触面と逆側の面）に重ねて偏光板を積層し、該偏光板に遮光部を形成し、遮光部の形成によりガラス製の保護板内に応力が発生することを防止する。偏光板に設けられる遮光部は、遮光性を有する塗料を用い、グラビア印刷等の適宜の印刷法により形成することができる。偏光板は、液晶パネルが本来備える偏光板（上側偏光板）を兼ね、偏光板の新たな配置による厚さの増加を抑え、薄型化の要求に対応する。
【００１４】
また本発明に係る液晶表示装置は、前記遮光部が、前記保護板との接触面に形成してあることを特徴とする。
【００１５】
この発明においては、偏光板の両面のうち、保護板との接触面に遮光部を設け、遮光部を形成する印刷層が、使用中に加わる外力の作用により剥離することを防止し、長期に亘って遮光機能を維持できるようにする。
【００１６】
また本発明に係るテレビ受像装置は、受信画像の表示部として以上の如き液晶表示装置を備えることを特徴とする。
【００１７】
この発明においては、ガラス製の保護板内に応力が発生し、保護板を通して視認される液晶パネルの表示画像の品質を良好に保ち、受信画像を高品質にて表示可能であり、３次元画像の表示にも対応可能なテレビ受像機を提供する。
【発明の効果】
【００１８】
本発明に係る液晶表示装置及びテレビ受像機においては、ガラス製の保護板に偏光板を積層し、保護板にではなく、偏光板に遮光部を形成したから、保護板本来の光学等方性が損なわれることがなく、遮光部により液晶パネルの周囲を隠しながら、液晶パネルの表示画像の品質低下を防止することができ、３次元画像の表示にも適用可能となる上、遮光部を設ける偏光板は、液晶パネルが本来備える偏光板を兼ねるから、薄型化の要求にも応えることが可能となる等、本発明は優れた効果を奏する。
【図面の簡単な説明】
【００１９】
【図１】本発明に係る液晶表示装置の略示断面図である。
【図２】図１の液晶表示装置に使用する偏光板の斜視図である。
【図３】本発明に係るテレビ受像装置の分解斜視図である。
【発明を実施するための形態】
【００２０】
以下本発明をその実施の形態を示す図面に基づいて詳述する。図１は、本発明に係る液晶表示装置の略示断面図である。図示のように液晶表示装置１は、画像表示のための液晶パネル２と、該液晶パネル２の表示面に一面を重ねて配置された保護板３とを備え、更に保護板３の他面に積層された偏光板４を備えている。
【００２１】
液晶パネル２は、アレー基板20とカラーフィルタ基板21との間に液晶22を封入してなるパネル原板の一面（アレー基板20の外表面）に偏光板23を被着し、視野拡大シート、反射防止シート等、所望の光学的特性を有する光学シート（図示を省略する）を被着して構成されている。
【００２２】
保護板３は、液晶パネル２よりもやや大寸法のガラス製の板であり、液晶パネル２の表示面（カラーフィルタ基板21の外表面）の全体を覆うように積層されている。また偏光板４は、偏光特性を有する薄肉の板材又はシート材を保護板３と略同寸法に裁断して構成され、保護板３の外表面（液晶パネル２と逆側の面）の全体を覆うように積層されている。保護板３と液晶パネル２及び偏光板４とは、例えば、透光性を有する接着剤により、相互に一体をなして被着されている。
【００２３】
図２は、偏光板４の斜視図であり、保護板３との接触面を上として示してある。本図に示すように偏光板４の周縁部には、遮光部40が設けてある。この遮光部40は、遮光性を有する塗料（一般的には黒色塗料）を用いた印刷により、全周を適幅に亘って縁取るように形成されている。なお、偏光板４は、薄肉の板又はシートであり、遮光部40は、薄い印刷層であるが、図２においては、偏光板４及び遮光部40の構成を明示するために、夫々の大きさに対して厚さを拡大して示してある。このように遮光部40が形成された偏光板４は、図１に示すように、遮光部40の形成面が保護板３の外表面に接触するように被着されており、遮光部40は、保護板３及び液晶パネル２の周縁部を覆うように位置する。
【００２４】
図１に示すように液晶表示装置１は、液晶パネル２を、保護板３及び偏光板４が積層された表示面を外部に向けた状態で外箱（バックライトシャーシ）10に取付け、該液晶パネル２の他面を、外箱10の内部に設けた光源（バックライト）11を対向させて構成されている。
【００２５】
このように構成された液晶表示装置１は、光源11の発光を液晶パネル２に透過させ、該液晶パネル２に封入された液晶の駆動により偏光の程度を調節することにより、外箱10の外部に露出する液晶パネル２の表示面に画像を表示する。使用者は、液晶パネル２の表示面に正対し、保護板３及び偏光板４を通して表示画像を視認する。
【００２６】
保護板３は、外部に露出する液晶パネル２の表示面を覆い、該表示面を外力から保護する作用をなす。該保護板３に被着された偏光板４は、外部から加わる過大な力の作用によりガラス製の保護板３が損傷したとき、発生するガラス片が周辺に飛散することを防止する作用をなす。また偏光板４は、アレー基板20の外表面に積層された偏光板23（下側偏光板）と対をなす上側偏光板を兼ねており、液晶パネル２の構成部材として機能する。
【００２７】
偏光板４の周縁部に設けられた遮光部40は、液晶を駆動するドライバ回路等が配置される液晶パネル２の周囲を外部からの視認不可に隠すために設けられている。遮光部40は、前述したように、ガラス製の保護板３ではなく、該保護板３に被着された偏光板４に形成されているから、保護板３には、遮光部40の形成に伴う応力が発生せず、保護板３は、ガラス本来の光学等方性を保っている。
【００２８】
偏光板４に形成される遮光部40は、グラビア印刷等の適宜の印刷法により形成することができる。偏光板４の特性は、印刷による遮光部40の形成により損なわれることはない。従って、保護板３及び偏光板４を通して視認される表示画像の品質を良好に保つことができ、液晶表示装置１においては、「虹むら」の発生の虞れなく３次元画像の表示に対応することが可能となる。
【００２９】
遮光部40を備える偏光板４は、液晶パネル２が本来備える２つの偏光板の一方（上側偏光板）を兼ねているから、保護板３を含めた液晶パネル２の厚さが、偏光板４の配置により大きくなることはなく、液晶表示装置１の薄型化の要求にも応えることが可能となる。      
【００３０】
遮光部40は、偏光板４の両面のうち、保護板３と接触する側の一面に形成してある。このように形成された遮光部40は、使用中に加わる外力の作用により剥離する虞れがなく、液晶パネル２の周辺部を隠すという遮光部40の本来の機能を長期に亘って維持することが可能となる。
【００３１】
図３は、本発明に係るテレビ受像装置の分解斜視図である。本図に示すように、テレビ受像装置ＴＶは、以上の如く構成された液晶表示装置１を受信画像の表示部として備え、該液晶表示装置１の前後を、前キャビネット5a及び後キャビネット5bにより囲い、後キャビネット5bの内部に、電源基板６、チューナ基板７等の回路基板、及びスピーカユニット（図示を省略する）等の周辺機器ユニットを組み付け、更に、後キャビネット5bの下外部に支持脚８を取付けて構成されている。
【００３２】
このように構成されたテレビ受像装置ＴＶにおいては、液晶表示装置１を構成する液晶パネル２の表示面が保護板３により保護されていることから、使用中に加わる外力により液晶パネル２が損傷する虞れを軽減することができる上、保護板３の周縁を縁取るように設けられた遮光部40の影響を排除し、受信画像を高品質にて表示することができ、３次元画像の表示にも対応することが可能となる。
【符号の説明】
【００３３】
１    液晶表示装置
２    液晶パネル
３    保護板
４    偏光板
20    アレー基板
21    カラーフィルタ基板
22    液晶
40    遮光部
ＴＶ  テレビ受像装置
【図１】
2012047895.tif 000003
【図２】
2012047895.tif 000004
【図３】
2012047895.tif 000005